(57)【要約】特に挨拶状やハガキ等の形態のビデオメッセージを作成するための装置及び方法であり、ユーザを見るためのカメラと、記録されたメッセージをCDまたはDVD等のビデオ記録媒体に保存してユーザに提供するビデオ記録手段と、前記記録物を封筒等で包装して、または封筒等とともに販売する手段、とを有する。【選択図】図１
2005506020.tif 000002
【特許請求の範囲】
【請求項１】
ビデオ配信物を作成するための装置であって、
ユーザを映し出すためのビデオカメラと、
ディスプレイ画面と、
メモリとソフトウェアとを有し、前記ディスプレイ画面上にユーザへの操作指示内容を表示させるプロセッサと、
ビデオ記録手段と、
前記ビデオ記録手段に、ユーザが選択した未記録のビデオ記録媒体を供給する手段と、
ユーザが配信しようとする内容を前記ビデオ記録媒体に前記ビデオ記録媒体に記録する手段と、
前記配信内容を記録したビデオ記録媒体をプレゼント包装物とともに、ユーザに提供する手段とを備えた装置。
【請求項２】
前記装置を使用するための料金の支払いを受ける手段が設けられることを特徴とする請求項１記載の装置。
【請求項３】
前記ビデオ記録媒体がＣＤまたは記録可能ＤＶＤディスクであることを特徴とする請求項１または２記載の装置。
【請求項４】
前記カメラによって記録された動画が、前記メモリにデジタル保存され、
ユーザは、前記メモリに保存された前記動画が前記ビデオ記録媒体に記録される前に、前記動画を受け取るか拒否するかの選択をすることを特徴とする前記いずれかの請求項に記載の装置。
【請求項５】
ユーザは、記録された前記通信の複製を複数作成することを前記プロセッサに指示することを特徴とする前記いずれかの請求項に記載の装置。
【請求項６】
前記ビデオ配信物が挨拶用カードまたはハガキの形態であることを特徴とする前記いずれかの請求項に記載の装置。
【請求項７】
ユーザが、前記ビデオ配信物に、文字メッセージを含めることができる手段が設けられることを特徴とする前記いずれかの請求項に記載の装置。
【請求項８】
ビデオ記録手段にビデオ記録媒体を提供する前記手段は、吸引アームを有し、前記アームは、前記アームに供給された未記録のディスクを持ち上げ、前記ビデオ記録手段に供給することを特徴とする前記いずれかの請求項に記載の装置。
【請求項９】
ビデオ記録手段に、選択された未記録のビデオ記録媒体を提供する前記手段は、吸引アームを有し、前記アームは、前記アームに供給された未記録のディスクを持ち上げ、前記ビデオ記録手段に供給し、
前記アームは、記録工程が完了すると、記録されたディスクを前記ビデオ記録手段から持ち上げ、販売口に放入することを特徴とする請求項１〜７のいずれかに記載の装置。
【請求項１０】
ビデオ記録手段にビデオ記録媒体を供給する前記手段は、吸引パッドを備えたアームを有し、
前記アームは、トラック上に取り付けられ、モーター手段によって前記トラック上を移動可能であることを特徴とする請求項１〜７のいずれかに記載の装置。
【請求項１１】
前記アームは、上昇または下降して前記トラック上を移動することを特徴とする請求項１０記載の装置。
【請求項１２】
前記アームは、滑りプレートの下方から上方へ通過することを特徴とする請求項１１記載の装置。
【請求項１３】
前記滑りプレートは、回転自在に取り付けられ、通常は垂直面の状態である第一位置から、前記プレートが、解放された記録媒体を販売口へ送るための滑り台の一部となる第二位置へ動くことを特徴とする請求項１２記載の装置。
【請求項１４】
前記吸引パッドは、吸引手段により部分真空になることを特徴とする請求項１０〜１３のいずれかに記載の装置。
【請求項１５】
ビデオ配信物を作成するための装置であって、
ユーザを映し出すためのビデオカメラと、
ディスプレイ画面と、
メモリとソフトウェアとを有し、前記ディスプレイ画面上にユーザへの操作指示内容を表示させるプロセッサと、
ユーザから提供されるデータ保存媒体を受け取るビデオ記録手段と、
前記保存媒体が前記装置に使用できるかどうかの認証を行なう手段と、
ユーザが配信しようとする内容を前記データ保存媒体に保存し、ユーザに提供する手段とを備えた装置。
【請求項１６】
閉位置から開位置へ自在に移動し、前記データ保存手段が前記装置に供給されることを可能にする安全カバーを有することを特徴とする請求項１５記載の装置。
【請求項１７】
ビデオ配信物を作成するための装置であって、
ユーザを映し出すためのビデオカメラと、
ディスプレイ画面と、
メモリとソフトウェアとを有し、前記ディスプレイ画面上にユーザへの操作指示内容を表示させるプロセッサと、
ユーザから供給されるデータ保存手段を受け取るビデオ記録手段と、
料金の前払いが行なわれているかどうかを確認する手段と、
ユーザが配信しようとする内容を前記データ保存媒体に保存し、ユーザに提供する手段とを備えた装置。
【請求項１８】
料金の前払いを確認する前記手段は、キーボードを介して暗証番号またはコード番号を入力するか、または磁気ストリップまたはバーコードを読み取る手段であることを特徴とする請求項１７記載の装置。
【請求項１９】
ビデオ配信物を作成するための方法であって、
ユーザから供給されるデータ保存媒体をビデオレコーダに供給する工程と、
前記保存媒体が前記装置に使用できるかどうかの認証を行なう工程と、
ユーザが配信しようとする内容を記録する工程と、
前記配信内容を記録したデータ保存媒体をユーザに提供する手段とを有することを特徴とする方法。
【請求項２０】
ビデオ配信物を作成するための方法であって、
ユーザから供給されるデータ保存媒体をビデオレコーダに提供する工程と、
料金の前払いが行なわれているかどうかを確認する工程と、
ユーザが配信しようとする内容を記録する工程と、
前記配信内容を記録したデータ保存媒体をユーザに提供する手段とを有することを特徴とする。
【発明の詳細な説明】
【技術分野】
【０００１】
本発明は、第三者に発送するビデオ配信物を作成するための方法及び装置に関し、より詳しくは、特に挨拶カードやハガキの形態となる視聴覚通信をコンパクトディスク（ＣＤ）等に記録することに関する。
【背景技術】
【０００２】
ビデオメッセージをＰＣによってハードディスクに記録し、続けてｅメールによって第三者へ送付することはよく知られている。しかし、このためには送る側がビデオカメラ等を備えたＰＣを利用し、インターネット接続する必要がある。このようなビデオ配信物は通常ｅメールの添付物として送付される。ファイルを受け取る側は、ウイルスを恐れて開封をためらう場合がある。さらに、多くの人々はそのような通信を記録し送付するための基礎知識をもっていないか、または必要な備品に接する機会がない。
【０００３】
従来の挨拶カードもよく知られ、かなり普及している。このようなカードは急いで購入されることが多い。送る側は、時間がないか、または小売店の品揃えが限られているため適当なカードを見つけにくいことが多い。このような状況で、送る側は、個人的な挨拶状を視聴覚メッセージの形態で送付できるという可能性に興味を抱きやすくなる。現在、個人またはグループが簡単、迅速にビデオ挨拶状を送付できる設備で、ｅメール以外で一般が利用できるものはない。
【発明の開示】
【０００４】
本発明は、上記問題の少なくとも幾つかを解決するビデオメッセージ装置を提供することを目的とする。また、ビデオ挨拶状等の形態を選択し、これをブース内等で、郵便等による受取人への送付に適した形式になるように作成するメッセージ装置を提供することを目的とする。
【０００５】
本発明の第１の形態にかかるビデオ配信物を作成するための装置は、ユーザを映し出すためのビデオカメラと、ディスプレイ画面と、メモリとソフトウェアとを有し、前記ディスプレイ画面上にユーザへの操作指示内容を表示させるプロセッサと、ビデオ記録手段と、前記ビデオ記録手段に、ユーザが選択した未記録のビデオ記録媒体を供給する手段と、ユーザが配信しようとする内容を前記ビデオ記録媒体に記録する手段と、前記配信内容を記録したビデオ記録媒体をプレゼント包装物とともにユーザに提供する手段と、を有する。ビデオ記録手段にビデオ記録媒体を供給する前記手段は、吸引パッドを備えたアームを有し、前記アームは、トラック上に取り付けられ、モーター手段によって前記トラック上を移動可能とすることができる。また前記アームは、上昇または下降して前記トラック上を移動し、滑りプレートの下方から上方へ通過することができる。また前記滑りプレートは、回転自在に取り付けられ、通常は垂直面の状態である第一位置から、前記プレートが、解放された記録媒体を販売口へ送るための滑り台の一部となる第二位置へ動くことができる。また前記吸引パッドは、ソレノイドポンプ等の吸引手段により部分真空にすることができる。
【０００６】
本発明の第２の形態にかかるビデオ配信物を作成するための装置は、ユーザを映し出すためのビデオカメラと、ユーザが配信しようとする内容をビデオ記録媒体に記録するビデオ記録手段と、前記配信内容を記録したビデオ記録媒体をプレゼント包装物で包装して、またはプレゼント包装物とともに提供する手段、とを有する。
【０００７】
本発明の第３の形態にかかるビデオ配信物を作成するための装置は、ユーザを映し出すためのビデオカメラと、ディスプレイ画面と、メモリとソフトウェアとを有し、前記ディスプレイ画面上にユーザへの操作指示内容を表示させるプロセッサと、ユーザから供給されるデータ保存媒体を受け取るビデオ記録手段と、料金の前払いが行なわれているかどうかを確認する手段と、ユーザが配信しようとする内容を前記データ保存媒体に保存し、ユーザに提供する手段と、を有する。
【０００８】
本発明の第４の形態にかかるビデオ記録媒体に保存されたビデオ挨拶状を作成するための方法は、ユーザが好みのタイプの挨拶状を選択する工程と、ビデオによる配信内容をビデオ記録媒体に記録する工程と、ユーザに、前記配信内容をプレゼント包装物で包装して、またはプレゼント包装物とともに提供する工程と、を有する。
【０００９】
本発明の第５の形態にかかるビデオ配信物を作成するための方法は、ユーザから供給されるデータ保存媒体をビデオレコーダに供給する工程と、ビデオによる配信内容を記録する工程と、料金の前払いが行なわれているかどうかを確認する工程と、ユーザに、前記データ保存媒体に保存された前記配信内容を提供する工程と、を有する。
【００１０】
本発明の第６の形態にかかるビデオ配信物を作成するための方法は、ユーザから供給されるデータ保存媒体をビデオレコーダに供給する工程と、ビデオによる配信内容を記録する工程と、前記保存媒体が前記装置に使用できるかどうかの認証を行なう工程と、ユーザに、前記データ保存媒体に保存された前記配信内容を提供する手段と、を有する。
【発明を実施するための最良の形態】
【００１１】
図１は、本発明の主な構成要素を線図形式のみで示す図である。ビデオカメラ１０はユーザ（U）の動画を記録し、動画は例えばPC内のプロセッサ１２に送られる。プロセッサ１２には、メモリ１４が連結されている。メモリ１４は通常、例えばハードディスク等の永久メモリと、例えばRAM等の一時メモリの両方からからなる。プロセッサ１２は、タッチスクリーン機能を有するディスプレイユニット１６と、コンパクトディスク（CD）への書き込みを行なうことのできるビデオレコーダ１８に接続されている。ユーザは、ディスプレイ画面上に提示される指示に対して、タッチスクリーンを使って返答することができる。事前に選択したラベルを付したディスクを選択し、記録を行なうため、コンパクトディスクディスペンサ２０が設けられる。記録が行なわれたディスク２１は、任意で、包装物（封筒）２４に封入され、販売口２２から取り出される。本装置を使用するための料金をユーザが支払うために、例えばクレジットカード読み取り機等の支払い手段２５が設けられる。また、本装置は画像、音声両方によるメッセージを可能とするために、プロセッサ１２に接続されたマイクロフォン２８を設けることができる。
【００１２】
図２，３は、好ましい形態にかかる本装置の斜視図である。本装置は外装ケース２００に収容されており、外装ケース２００は、正面縦パネル２０２、一組の斜めパネル２０４、側面パネル２０６を有している。ケース２００の頭部面にはカーテンレール２０８が取り付けられ、ケース２００の底部面は、好ましくは、支持部材２１０により基礎プレート２１２（一部のみを示す）に取り付けられる。このように、ケース２００は、屋内外の床面に据える基礎プレート２１２により安定した状態で支持されている。勿論、安全上の理由から、プレート２１２を床面に固定させてもよい。正面縦パネル２０２と斜めパネル２０４はそれぞれ、照明手段２１４，２１８を有している。これらは、光透明窓２１４，２１８を有し、それぞれの後方にはランプが設けられている。正面パネル２０２にはまた、光学的に透明なスクリーン２１６（後方にはビデオカメラ１０が設置されている）と、支払い手段２５が設置されている。支払い手段は、クレジットカード等の使用を可能にするカード読み取り機そして／または現金支払いを受ける手段を有する。斜めパネル２０４は、ディスプレイユニット１６とマイクロフォン２８そして／または拡声器を有する。ケース２００は、側面パネルを有し、そのうちの一つである側面パネル２０６は、開放できるように蝶番を介して取り付けられている。側面パネル２０６の上部には、照明パネル２２０があり、これを使って本装置のサービス内容を宣伝することができる。パネル２２０の下には、水平提供スロット２２６，２２８がある。スロット２２６は記録済みのCDを提供する（後述）。スロット２２８は、封筒を一回につき一つずつ提供する。パネル２０６の内側には、封筒を積層、提供する標準的な機構（図示せず）が配置されており、ディスクがスロット２２６から提供されると（後述）、同時に封筒がスロット２２８から提供される。
【００１３】
図３は、図２における装置の斜視図の点検時の状態を示し、パネル２０６は開位置にある。ケース２００は、サブ格納体２３４を収納し、サブ格納体２３４は、スライドトレイ２３２によりケース２００にスライド自在な状態で固定されている。すなわち、側面パネル２０６が開いて開口部ができると、サブ格納体２３４をその開口部から横方向ヘスライドさせることができる。サブ格納体２３４は、プロセッサ１２、ビデオレコーダ１８、ディスクディスペンサ２０を収容する。ストリップライト２４０は、照明パネル２２０のための照明手段を提供する。電気ソケットボード２４２は、フューズそして／または回路ブレーカー２４４によって保護されている標準的なプラグソケットを備えている。本装置の通常使用の際、パネル２０６を確実にロックして閉じるために、ロック機構２４６が設けられている。
【００１４】
本装置には、選択された未記録のディスクをビデオレコーダ１８に供給する手段２０が設けられている。このディスクディスペンサ２０の、ユニット１２，１４，１８との位置関係を図４〜７に模式的に示す。図は、ディスク供給サイクルの４つの異なる工程を示している。
【００１５】
ディスク供給機構は、トラック２５２上を上下に移動する掴みアーム２５２と、円柱２５６に配置される未記録のCD積層物２５４を有する。この円柱は、プラッタ２５８に取り付けられ、プラッタ２５８はサブ格納体２３０の基礎部分に固定されている。レール２５２は、サブ格納体２３０の背面２６０に沿って縦方向に伸びている。掴みアーム２５０は、そのトラック２５２上の進行を下部トラック終端２６２と上部トラック終端２６４によって制限される。終端２６２、２６４はそれぞれ、滑車２６６，２６８を収容している。循環ベルト２７０が滑車２６６，２６８を接続している。ベルト２７０は好ましくはナイロンからなり、内側面に、滑車２６６，２６８を掴み易くするための窪みを有する。下部終端２６２は、モータ手段（図示せず）を有し、これにより下部滑車２６６を駆動させ、ベルト２７０を介して滑車２６８を駆動する。ベルト２７０は掴みアーム２５０に取り付けられている。したがって、掴みアームは、モータ手段によってトラック２５２上を上下移動できる。このモータ手段は減速機を有するDCモータとすることができる。掴みアーム２５０は、トラック２５２に係合する端部２８０と、吸引線２８４を介して吸引パッド２８６に接続する吸引手段２８２を有する。吸引手段２８２はポンプとソレノイドからなり、これらは任意でサブ格納体２３０の背面２６０の外側に設置してもよい。吸引パッド２８６は、任意で、端部２８０から外側に伸びるアームフロア２８８の下部面に取り付けてもよい。アームフロア２８８は円形開口部２７８を有し、これにより、アームフロア２８８が円柱２５６に遮られることなくトラック２５２の底部終端まで移動することができる。しかし、アーム２５０は、その下方への進行を未記録のCD積層物２５４により制限される。サブ格納体２３０の上部には、滑り台２９０があり、その下部２９２は提供スロット２２６と共同して作用する。滑り台２９０の上端部の先に、延長滑り台装置２９４がある。この延長滑り台は、通常は垂直面の位置にある一組の滑りプレート２９６からなり、これにより掴みアーム２５０が自由に上下進行できる。しかし、ディスク供給機構サイクル時は、滑りプレート２９６は軸A-A’、B-B’を中心に９０度回転する（図５参照）。これにより、滑りプレート２９６は、滑り台２９０から上方へ伸びる滑りフロア（図７参照）を形成する。掴みアーム２５０が最上部に位置する場合、この拡張部分はアーム２５０の直下にある。背面２６０は、裏側にPCB電子ボードとプロセッサ（図示せず）を有する。これらは背面２６０の外側面に設置され、モータ手段と滑りプレート２９６を作動させるための手段を制御している。
【００１６】
図４〜７を参照し、ディスク供給機構の作用を説明する。サイクルスタート時、掴みアーム２５０はその進行軌道の上端に位置し、延長滑り台は開いた状態で、アーム２５０は自由に進行できる（図４参照）。次に、掴みアーム２５０はその進行軌道の下端まで移動し、吸引パッド２８６は積層物２５４の最上部のCDに接触する。そして吸引手段２８２が作動し、最上部のCDは吸引力によってアーム２５０に保持される（図５参照）。次に、掴みアーム２５０はトラック２５２を上昇する。CDライタ１８のトレイ３００が新しいCDを受け取るため開かれるとき、アーム２５０に保持されているCDはトレイ３００の上方に若干の距離を保って位置している。そして吸引手段２８２が停止され、CDはトレイ３００上に落下する。その後、トレイは閉じ、CDへの記録が行なわれる（図６参照）。CDの書き込み中、掴みアーム２５０は待ち状態となり、CDライタトレイ３００が開くと、吸引手段が駆動され、掴みアーム２５０は必要であれば若干下降してCDを回収する。最後に、掴みアーム２５０は、延長滑り台２９４よりも若干高い位置へ移動し、滑りプレート２９６は垂直位置から図７に示す位置へ回転して、フロアを形成する。そして吸引手段２８２が停止され、記録済みCDは延長滑り台のフロア上に落下し、滑り台２９０上をスライドし、提供スロット２２６からユーザへ提供される。アーム２５０は、その進行軌道の上端位置に戻り、延長滑り台２９６は開いて垂直位置に戻る。
【００１７】
ユーザが本装置でビデオメッセージを記録する場合、まず、動画を記録できるカメラ１０の近くの位置に構える。本発明は、一人に限らずグループでのビデオメッセージ作成に使用できる。ユーザは、代用硬貨、硬貨、紙幣、クレジットカード等を支払い手段３０へ挿入する。するとディスプレイ１６は、図１０-a〜１０-iに示す一連の表示内容を提示する。ユーザはまず、挨拶カード（図１０-b）の種類を選択し、その選択でよいかどうかを確認するよう求められる（図１０-c）。次にユーザは、任意で、例えば「Hope you have a great birthday Colin, lots of love Kitty and Lucy」等の文字メッセージをディスプレイ上のタッチスクリーン機能を使って入力し、文字メッセージがきちんと入力されているかを確認するよう求められる（図１０-e）。次に、ユーザが任意で、カメラ１０が所望の画像を記録できるようにカメラを調節し、そして／または、ユーザが座っている椅子（図示せず）の、カメラ等の手段に対する位置を調節するための表示がなされる。この間、ユーザにはカメラが映す画像の少なくとも一部が提示される（図１０-f）。次にユーザには、記録作業が例えばあと５秒で始まり（図１０-g）、必要であればこれを遅らせることができることを知らせるプロンプトが提示される。そして本装置はユーザの撮影を開始し、この間撮影の残り時間が秒読み形式で表示され（図１０-h）、任意で、いつでも撮影を中止して次の段階に移ることができる。図１０-g〜１０-hでは、通常、撮影中の画像は表示されないが、任意で表示を行なってもよい。記録作業完了後、ユーザは再生機能により記録したものをチェックする機会があり（図１０-i）、必要であれば複数回チェックできる。その後、最終段階へ進み（図１０-j）、ビデオレコーダ１８によって、ビデオ映像のメモリからディスク等への記録を開始する。
【００１８】
図１１は、再生中に受取人等が見る二つのビデオ画像を示す。最初の画像（１１-a）には、挨拶「Happy Birthday」と、その下に文字メッセージ「Hope you have a great birthday Colin, lots of love Kitty and Lucy」が表示されている。次に、ビデオ画像は記録した一連の画像へ移り、フレーム５０内に表示される。フレーム５０には、再生ボタン５２、一時停止ボタン５４、巻き戻しボタン５６、早送りボタン５８があり、これらはディスプレイ上のタッチスクリーン機能によって作動する。
【００１９】
図１２は、例えば「Congratulations」等の、様々な一般的挨拶ラベルを付したディスクの例を示す。ディスクは、標準サイズのCDよりもかなり小さいミニサイズであることが好ましく、直径が例えば３０〜８０ｍｍである。CD６０は、弓状のフィンガーグリップ部６２を有してもよい。必要な場合、ディスクは図１２に示すよりもかなり小さく、直径が例えば３０〜４０ｍｍであってもよい。これは、例えば１分間のビデオメッセージを記録するために必要なディスク面積は比較的小さいからである。
【００２０】
図１３は、記録済みディスクを包装するのに使用される封筒（E）の一例を示す。ディスクは、封をしていない封筒とともに、またはそのような封筒で包装して、販売口２２から提供される。これによりユーザは、例えばディスクに所望の挨拶ラベルが付されているか等のチェックを、封をして受取人に送る前に行なうことができる。また任意で、ユーザが受取人の住所を入力し、本装置が封筒／包装物にその住所を印刷してもよい。
【００２１】
図８、９は、本発明にかかる装置及び方法に適したディスク機構の他の例を示す。円形回転可能トレイ３０は複数の孔３３を有する。孔３３はそれぞれ、ディスクよりも直径が若干大きく、同一ラベルのディスクが積層された供給チューブ３１（一つのみを示す）を有する。ここに示す供給機構では、４種類のラベルを供給することができる。孔３３と供給チューブ３１の数を適切に選択することで、ラベルの種類の増減も可能である。回転可能トレイ３０の下には、通常長方形のトレイ３４があり、トレイ３４には、孔３３と同サイズの、ディスクを保持するための円形の窪み３５がある。細長スロット３６がトレイ３４に設けられ、規制ピン３７が回転可能トレイ３０の中心に位置している。ピン３７を設けるのは、長方形トレイ３４の横方向の移動を制限するためである。この横方向の移動は、下部固定トレイ３９の、通常長方形のチャネル３８によって容易になる。使用の際、プロセッサ１２によってモータ手段（図示せず）がトレイ３０を回転させ、これにより所望のラベルを付したディスクが窪み３５に供給される。次に長方形トレイ３４がX方向に移動し（図８参照）、窪み３５内に保持されているディスクを吸引アーム装置（図示せず）に供給する。吸引アーム装置は、ディスクをトレイから持ち上げ、例えばCDライタ１８に落下させる。記録工程完了後、同吸引アームが記録済みディスクをビデオレコーダから持ち上げ、販売口２２へ投入する。
【００２２】
さらに他の例では、ディスク提供機構２０は、接続された一連のスリーブを有する、通常環状のカラセルであってもよい。スリーブはそれぞれ、その下に位置する回転可能プレートによってディスクを保持することができる。このプレートは、ディスクよりも大きいスロットを少なくとも一つ有しており、このスロットを通してディスクを落下させることができる。すなわち、プレートが特定のスリーブの下まで回転してくると、このスリーブの中のディスクはスロットを通して落下し、レコーダに提供される。
【００２３】
ビデオレコーダ１８はCDライタまたはDVDライタの形態であってもよい。ユーザは、タッチスクリーン機能に代えて、キーボードを使ってテキスト入力（図１１a参照）してもよい。ユーザはまた、タッチスクリーン機能に代え、マウスにより再生制御ボタン５２、５４、５６、５８を選択してもよい。ラベルは、ビデオメッセージの記録後に、未貼付のディスクに貼付するか、または記録中に貼付してもよい。ユーザはまた、任意で、好みの挨拶状の種類によって、提供用包装物そして／またはビデオ記録媒体に貼付するラベルを選択してもよい。
【００２４】
図１４は、本発明の第２の形態にかかる装置１００の主な構成要素を線図形式のみで示す図である。ビデオカメラ１１０はユーザ（U）の動画を記録し、動画は例えばPC内のプロセッサ１１２に送られる。プロセッサ１１２は、メモリ１１４を有している。メモリ１１４は通常、例えばハードディスク等の永久メモリと、例えばRAM等の一時メモリの両方からなる。プロセッサ１１２は、タッチスクリーン機能を有するディスプレイユニット１１６と、コンパクトディスクへの書き込みを行なうことのできるビデオレコーダ１１８に接続されている。ユーザは、予め購入しておいた未記録のディスク（D）をスリット口１２０の開トレイから本装置へ提供する。記録作業完了後、ディスクは開トレイまたはスリット口１２０から返還される。または、販売口（図示せず）から取り出される。未記録のディスクが本装置に使用できるかどうかの認証は、本装置がディスク上のバーコード等を読み取るか、またはユーザがタッチスクリーン機能で暗証番号を入力することで行なわれる。料金の前払いが行なわれているかどうかを確認するその他の方法として、ユーザがディスクを本装置内に提供する前に、磁気ストリップ読み取り機に通す方法がある。盗難及び破壊行為による破損防止のため、スリット口１２０は、モータにより縦にスライドする安全ハッチまたは扉等の閉鎖手段１２２によって保護されていてもよい。すなわち、使用中の適当な時点で、閉鎖手段１２２が開いて未記録のディスク（D）が挿入可能となり、そしてまた閉じる。このような手段１２２は、通常のディスクレコーダトレイ機構等であれば、どんなものにも加えることができる。また、本装置は画像、音声両方によるメッセージを可能とするために、プロセッサ１１２に接続されたマイクロフォン１２８を設けることができる。また、任意で、未記録のディスクは予め購入したものに代えて、販売促進キャンペーン等の一環として配付されるものであってもよい。例えば、ファストフード店等での購入時の景品としてもよい。この場合、この景品が本装置に使用できるかどうかの認証手段は、上記予め購入したディスクの場合と同様である。
【００２５】
上記実施の形態において、任意で、記録されたビデオ画像の複製を複数作成するよう要請することができる。この場合、それぞれ別のディスクに記録され、通常は別々の封筒に入って販売される。これは、ユーザが複数の受取人にクリスマスカード等の既定の挨拶状を送付したい場合に有用である。本装置のユーザは複数人であってもよく、またユーザは座っている必要はない。例えば、ユーザは記録中、カメラの視界内である限り立っていても動いていてもよい。また本装置は、任意で、公共の場所のブース内に収容されていてもよい。
【産業上の利用可能性】
【００２６】
本発明の効果は、ディスクがDVDプレイヤ等のあるテレビで再生できるため、ディスクの受取人がコンピュータを所有している必要がないことである。受取人は、例えば普通のハガキ等の物理的な方法によって返信することができる。これに対して、ｅメールの添付物として送付されるビデオ配信物の場合、ハードディスクの保存容量を維持するために削除されることが多い。本発明はブース内の設置に特に適しており、例えば小売店等の公共の場所やショッピング街に設置されるブース等である。これにより、本装置が一日２４時間使用できる可能性がある。本発明は、特に、他に適当な挨拶の方法がないような場合に衝動買いの対象になり得る。本発明の、迅速で簡単な方法、及び受取人にすぐに郵送することができるという点に、ユーザは魅力を感じるものと思われる。
【００２７】
本発明の他の効果は、ディスクディスペンサ２０が好ましい形態においてアームを一つだけ使用し、比較的単純であることで、この一つのアームでトラック上を移動し、未記録ディスクのビデオ記録手段への供給、及び記録済みディスクのビデオ記録手段から販売滑り台または販売口への移動を実現する。これに対して、公知のディスペンサはほとんどが複雑であり、よって製造及び維持コストがかかる。
【図面の簡単な説明】
【００２８】
【図１】本発明の主な構成要素を示す図である。
【図２】本発明の第１の形態にかかる装置の斜視図である。
【図３】図２における斜視図の、点検アクセス扉が開いた状態を示す図である。
【図４】〜
【図７】図２の装置に使用されるディスク提供機構の主要構成要素を、作動中の４つの異なる工程ごとに示す図である。
【図８】他のディスク提供機構の一部を示す平面図である。
【図９】図５に対応する側面図である。
【図１０−ａ】〜
【図１０−ｉ】は、ユーザに、メッセージ録音中にディスプレイ上に提供される画像である。
【図１１】再生中に見られる二つのビデオ画像である。
【図１２】本発明において作成される様々な挨拶ディスクの表側表面を示す図である。
【図１３】図６に示す挨拶ディスクのための提供用包装物を開いた状態で示す図である。
【図１４】本発明の第２の形態にかかる装置の主な構成要素を示す図である。
【国際公開パンフレット】
2005506020.tif 000003
2005506020.tif 000004
2005506020.tif 000005
2005506020.tif 000006
2005506020.tif 000007
2005506020.tif 000008
2005506020.tif 000009
2005506020.tif 000010
2005506020.tif 000011
2005506020.tif 000012
2005506020.tif 000013
2005506020.tif 000014
2005506020.tif 000015
2005506020.tif 000016
2005506020.tif 000017
2005506020.tif 000018
2005506020.tif 000019
2005506020.tif 000020
2005506020.tif 000021
2005506020.tif 000022
2005506020.tif 000023
2005506020.tif 000024
2005506020.tif 000025
2005506020.tif 000026
2005506020.tif 000027
2005506020.tif 000028
2005506020.tif 000029
2005506020.tif 000030
2005506020.tif 000031
2005506020.tif 000032
2005506020.tif 000033
【国際調査報告】
2005506020.tif 000034
2005506020.tif 000035